(57)【特許請求の範囲】
【請求項１】
内視鏡の処置具挿通チャンネルの入口部分に、通常は自己の弾性により閉じた状態を維持してそこを通過する処置具により弾力的に押し開かれる第１の閉鎖膜と、通過する処置具の外面に密着してそこをシールをする第２の閉鎖膜とを、上記第２の閉鎖膜を入口側にして上記両閉鎖膜の間を上記処置具挿通チャンネルの入口部の直径の２．５倍以上離して配置したことを特徴とする内視鏡の鉗子栓。
【請求項２】
上記第１の閉鎖膜の処置具通過部には−状のスリットが形成され、上記第２の閉鎖膜の処置具通過部には−状のスリット又は丸穴が形成されている請求項１記載の内視鏡の鉗子栓。
【発明の詳細な説明】
【０００１】
【発明の属する技術分野】
この発明は、内視鏡の処置具挿通チャンネルの入口に配置される内視鏡の鉗子栓に関する。
【０００２】
【従来の技術】
内視鏡の鉗子栓は、処置具が使用されない通常の状態において、処置具挿通チャンネルを経由して体内汚液等が噴出しないように処置具挿通チャンネルの入口部分をシールし、処置具挿通チャンネルに処置具を挿脱する際には、入口を開閉するための操作を必要とせず、処置具挿脱により体内汚液等が噴出しないようシールするものでなければならない。
【０００３】
そこで、従来の内視鏡の鉗子栓として最もシンプルな構成は、−状のスリットが形成されたゴム製の閉鎖膜を、処置具挿通チャンネルの入口部分に配置したものである。
【０００４】
また、閉鎖膜を二重に重ね合わせたり（実開昭６１−５４８０１号）、−状のスリットが形成された第１の閉鎖膜を入口側に配置して、その奥に丸穴が形成された第２の閉鎖膜を配置したもの（米国特許第４８０９６７９号）等がある。
【０００５】
【発明が解決しようとする課題】
しかし、−状のスリットが形成された閉鎖膜だけが設けられた鉗子栓は、処置具が処置具挿通チャンネルから抜き出される際に、処置具の先端部分がスリットから外れる瞬間のスリットが閉じきるまでの時間遅れの間に、体内汚液が噴出してしまう。
【０００６】
また、閉鎖膜を二重に重ね合わせたものも、処置具が処置具挿通チャンネルから抜き出される際に体内汚液が噴出してしまう点では大差がなく、上述の米国特許第４８０９６７９号に示されるものも、入口側の−状のスリットが形成された閉鎖膜から処置具の先端が抜け出す際に同じ現象が発生する。
【０００７】
また、図６に示されるように、最も一般的な内視鏡用処置具である生検鉗子５０には、先端近傍にリンク機構５１を挟持するためのスリ割り５２が形成されているため、スリ割り５２部分が閉鎖膜９０を通過する際には、矢印Ａで示されるように、スリ割り５２を通って体内汚液が噴出する場合がある。
【０００８】
そこで本発明は、処置具を抜き出す際のシール性がよく、生検鉗子等を挿脱する際にも体内汚液が漏れ難い内視鏡の鉗子栓を提供することを目的とする。
【０００９】
【課題を解決するための手段】
上記の目的を達成するため、本発明の内視鏡の鉗子栓は、内視鏡の処置具挿通チャンネルの入口部分に、通常は自己の弾性により閉じた状態を維持してそこを通過する処置具により弾力的に押し開かれる第１の閉鎖膜と、通過する処置具の外面に密着してそこをシールをする第２の閉鎖膜とを、第２の閉鎖膜を入口側にして両閉鎖膜の間を処置具挿通チャンネルの直径の２．５倍以上離して配置したものである。
【００１０】
なお、第１の閉鎖膜の処置具通過部に−状のスリットが形成され、第２の閉鎖膜の処置具通過部に−状のスリット又は丸穴が形成されていると良好なシール性が得られる。
【００１１】
【発明の実施の形態】
図面を参照して本発明の実施例を説明する。
図２は内視鏡を示しており、可撓管によって外装された挿入部１の基端が操作部２の下端に連結されている。
【００１２】
挿入部１内に挿通配置された処置具挿通チャンネル３の先端は挿入部１の先端において外部に開口し、処置具挿通チャンネル３の入口に配置された鉗子栓１０が、操作部２の下端部分から斜め上方に突出している。
【００１３】
図１に示されるように、鉗子栓１０は、処置具挿通チャンネル３の入口端部に設けられた入口口金３０に着脱自在に取り付けられており、弾力性のあるゴム材等によって形成された下半筒体１１に、同様の材質からなる上半筒体１２を着脱自在に取り付けて構成されている。
【００１４】
下半筒体１１は、その下端内面から内方に突設された弾性突起部１３が入口口金３０の口元近傍に形成された円周溝部３２に嵌め込まれており、弾性突起部１３の周辺を弾性変形させて円周溝部３２に係脱させることにより、下半筒体１１を入口口金３０に対して着脱することができる。
【００１５】
下半筒体１１には、中心にスリット１５が形成された第１の閉鎖膜１４が、入口口金３０の開口端に面して形成されている。スリット１５は、処置具が使用されない通常の状態においては閉鎖膜１４の弾力性によって閉じた状態を維持しており、処置具挿通チャンネル３内と外部との間がシールされている。そして、処置具挿通チャンネル３に挿脱される処置具によってスリット１５が弾力的に押し開かれる。
【００１６】
上半筒体１２は、下半筒体１１の開口部に外方から着脱自在に嵌め込まれ、上半筒体１２の嵌め込まれる部分の先端に突設された鍔部２４が、下半筒体１１の開口部の内周に形成された段部１７に係脱自在に構成されている。
【００１７】
そして、上半筒体１２側を弾力的に変形させて鍔部２４を段部１７に係合させれば、上半筒体１２が下半筒体１１の開口部に係止された状態になり、鍔部２４を弾性変形させて段部１７から外すことにより、上半筒体１２を下半筒体１１の開口部から外すことができる。
【００１８】
上半筒体１２の表面部分は第２の閉鎖膜２６になっていて、その中央に丸穴２７が形成されている。ただし、丸穴２７に代えて−状のスリットを形成してもよい。
【００１９】
処置具挿通チャンネル３内に挿脱される処置具が丸穴２７を通過する際には、丸穴２７が処置具により弾力的に押し広げられて処置具の外周面に密着し、処置具挿通チャンネル３内と外部との間が第２の閉鎖膜２６によってシールされた状態になる。
【００２０】
第１の閉鎖膜１４と第２の閉鎖膜２６は、第２の閉鎖膜２６を入口側にして処置具挿通チャンネル３の直径（内径）Ｄの２．５倍以上の間隔Ｌ（Ｌ≧２．５Ｄ）をあけて配置されている。
【００２１】
ただし、両閉鎖膜１４，２６の間の間隔Ｌが離れ過ぎると処置具の挿入操作性が低下するので、Ｌ≦１０Ｄの範囲であることが望ましい。処置具挿通チャンネル３の直径Ｄは例えば２〜３ｍｍ程度である。
【００２２】
図３は、チューブ状の内視鏡用処置具４０が処置具挿通チャンネル３から抜き出される際に、そのチューブ状処置具４０の先端が第１の閉鎖膜１４のスリット１５から外れる瞬間の状態を示しており、第２の閉鎖膜２６の丸穴２７部分がチューブ状処置具４０のシース外周面に密着しているので、第２の閉鎖膜１４のスリット１５に閉じ遅れがあっても体内汚液は噴出しない。
【００２３】
そして、チューブ状処置具４０の先端が第２の閉鎖膜２６の丸穴２７から外れる際には、第１の閉鎖膜１４のスリット１５が閉じた図１に示される状態になるので、処置具挿通チャンネル３から体内汚液が噴出しない。
【００２４】
図４は、生検鉗子５０が処置具挿通チャンネル３から抜き出される際に、生検鉗子５０の先端が第１の閉鎖膜１４のスリット１５から外れる瞬間の状態を示している。
【００２５】
前述のように第１の閉鎖膜１４と第２の閉鎖膜２６が処置具挿通チャンネル３の直径（内径）Ｄの２．５倍以上の間隔Ｌをあけて配置されているので、生検鉗子５０のリンク機構５１が挟持されたスリ割り５２部分は第２の閉鎖膜２６に到達していない。
【００２６】
その結果、第２の閉鎖膜２６の丸穴２７部分が生検鉗子５０の円筒状部分の外周面に密着しているので、丸穴２７部分からの漏れが発生せず、第２の閉鎖膜１４のスリット１５に閉じ遅れがあっても体内汚液が噴出しない。
【００２７】
また、生検鉗子５０のスリ割り５２部分が第２の閉鎖膜２６の丸穴２７を通過する際には、図５に示されるように、すでに第１の閉鎖膜１４のスリット１５が閉じているので、その他の処置具を抜き出す場合と同様に体内汚液が噴出しない。
【００２８】
このように本発明においては、一般に生検鉗子５０の先端からスリ割り５２の後端までの長さが処置具挿通チャンネル３の直径Ｄの２．５倍未満になっていることを利用して、シール性が悪くなる生検鉗子技法の場合等でも体内汚液が噴出し難くなり、衛生的に内視鏡検査を行うことができる。
【００２９】
【発明の効果】
本発明によれば、二つの閉鎖膜のうち内側に配置された第１の閉鎖膜を処置具の先端が通過する際には、入口側の第２の閉鎖膜が処置具の外面に密着してそこをシールしており、処置具の先端が第２の閉鎖膜を通過する際には第１の閉鎖膜が閉じている。そして、第１と第２の閉鎖膜が処置具挿通チャンネルの直径の２．５倍以上離して配置されていることから、生検鉗子等のように先端部分にスリ割り等が形成された処置具が通過する際であっても、上述と同様に確実なシールが行われて、体内汚液の噴出が発生しない。
【図面の簡単な説明】
【図１】本発明の実施例の内視鏡の鉗子栓の縦断面図である。
【図２】本発明の実施例の内視鏡の全体構成を示す外観図である。
【図３】本発明の実施例の内視鏡の鉗子栓からチューブ状処置具が引き出される状態の縦断面図である。
【図４】本発明の実施例の内視鏡の鉗子栓から生検鉗子が引き出される状態の縦断面図である。
【図５】本発明の実施例の内視鏡の鉗子栓から生検鉗子が引き出される状態の縦断面図である。
【図６】従来の内視鏡の鉗子栓から生検鉗子が引き出される状態の縦断面図である。
【符号の説明】
３  処置具挿通チャンネル
１０  鉗子栓
１４  第１の閉鎖膜
１５  スリット
２６  第２の閉鎖膜
２７  丸穴
４０  チューブ状処置具
５０  生検鉗子
５２  スリ割り
【図１】
0004502490.tif 000002
【図２】
0004502490.tif 000003
【図３】
0004502490.tif 000004
【図４】
0004502490.tif 000005
【図５】
0004502490.tif 000006
【図６】
0004502490.tif 000007